(57)【要約】【課題】外観性を向上できるとともに、コストを低減させることが可能な建物のコーナー部構造を提供することを目的とする。【解決手段】平板状を呈する一方の外装材本体２と、平板状を呈する他方の外装材本体３とが、一方の外装材本体２のコーナー側端部２ａを、他方の外装材本体３のコーナー側端面３ｂとコーナー用タイル４の短寸部４ｂとの間に差し込むようにして接合されていることを特徴とする建物のコーナー部構造。これにより、例えば平面視略Ｌ字型のコーナー用外装材本体を用いずとも、コーナー部を確実に形成することができる。また、一方の外装材本体の表面に貼り付けられる複数のタイルと、他方の外装材本体の表面に貼り付けられる複数のタイルとが、コーナー部を介して連続しているように見せることができる。【選択図】図１
2011038332.tif 000002
【特許請求の範囲】
【請求項１】
平板状を呈する一方の外装材本体のコーナー側端部と、平板状を呈する他方の外装材本体のコーナー側端部とを接合してなる建物のコーナー部構造において、
前記一方および他方の外装材本体の表面に複数のタイルが貼り付けられており、
これら複数のタイルのうち、長寸部と短寸部とを有することによって平面視略Ｌ字型に形成されるコーナー用タイルが、前記一方の外装材本体に対して、前記長寸部を該外装材本体の表面に当接させるとともに、前記短寸部を該外装材本体のコーナー側端面に当接させるようにして貼り付けられ、さらに、前記他方の外装材本体に対して、前記長寸部を該外装材本体の表面に当接させるとともに、前記短寸部を該外装材本体のコーナー側端面から所定間隔離間させるようにして貼り付けられており、
これら一方の外装材本体に貼り付けられるコーナー用タイルと、他方の外装材本体に貼り付けられるコーナー用タイルとは、これら一方の外装材本体と他方の外装材本体との接合部分の高さ方向に沿って交互に並列するようにして配置されており、
前記一方の外装材本体と他方の外装材本体とは、前記一方の外装材本体のコーナー側端部を、前記他方の外装材本体のコーナー側端面と前記コーナー用タイルの短寸部との間に差し込むようにして接合されていることを特徴とする建物のコーナー部構造。
【請求項２】
請求項１に記載の建物のコーナー部構造において、
前記他方の外装材本体のコーナー側端面と前記コーナー用タイルの短寸部との間の寸法は、前記一方の外装材本体のコーナー側端部の厚さ寸法以上となるように設定されていることを特徴とする建物のコーナー部構造。
【請求項３】
請求項２に記載の建物のコーナー部構造において、
前記他方の外装材本体のコーナー側端面は、この他方の外装材本体の正面および背面に対して所定の角度に傾いており、
この他方の外装材本体のコーナー側端面と前記コーナー用タイルの短寸部との間の寸法が、前記他方の外装材本体の正面側から背面側に向かうにつれて徐々に広くなるように設定されていることを特徴とする建物のコーナー部構造。
【請求項４】
請求項２または３に記載の建物のコーナー部構造において、
前記他方の外装材本体のコーナー側端面と、この他方の外装材本体のコーナー側端面と前記コーナー用タイルの短寸部との間に差し込まれる前記一方の外装材本体のコーナー側端部との間に防水手段が設けられていることを特徴とする建物のコーナー部構造。
【請求項５】
請求項２〜４のいずれか一項に記載の建物のコーナー部構造において、
前記他方の外装材本体のコーナー側端面と、この他方の外装材本体のコーナー側端面と前記コーナー用タイルの短寸部との間に差し込まれる前記一方の外装材本体のコーナー側端部との間に、これら一方の外装材本体のコーナー側端部と他方の外装材本体のコーナー側端面とを係合させるための係合手段が設けられていることを特徴とする建物のコーナー部構造。
【請求項６】
請求項１〜５のいずれか一項に記載の建物のコーナー部構造において、
前記一方および他方の外装材本体の表面に貼り付けられる複数のタイルは、上下に隣り合うタイル間の横目地が、前記外装材本体の高さ方向に、略等しい間隔となるように配置されるとともに、左右に隣り合うタイル間の縦目地が前記外装材本体の高さ方向に沿って不連続となるように配置されており、
前記一方の外装材本体の表面に貼り付けられる複数のタイルのうち、前記コーナー用タイルを除くコーナー側端部近傍に位置するタイルは、コーナー側端部から、前記他方の外装材本体に貼り付けられるコーナー用タイルの短寸部の長さよりも長い間隔をあけるようにして配置されていることを特徴とする建物のコーナー部構造。
【発明の詳細な説明】
【技術分野】
【０００１】
本発明は、住宅等の建物のコーナー部構造に関する。
【背景技術】
【０００２】
従来、建物の外観に変化を与え、見映えがよいこと等から、タイルを貼り付けた外壁が好んで用いられている。このタイルの貼り付けは、例えば下階部分の全面に行うこともあり、一般のサイディングと隣り合わせて、下階、あるいは上階の一部に行うこともある。そして、タイルの貼り付けは、既に取り付けられたタイル用下地材に、モルタル等を用いて現場で接着、取り付けすることが一般的である。
しかし、この場合、現場作業が多くなるという課題があることから、その課題を解決し、より効率的にタイル貼りを行おうと、予め、工場等において製作されたタイル外壁を用いることが行われている（例えば、特許文献１参照）。
この特許文献１に記載の技術は、建物のコーナー部を除く壁面全体に、幅方向一端に下サネを他端に上サネを備えた外装材が貼り付けられ、コーナー部に、両端に上サネを備えたコーナー用外装材が取り付けられる建物のコーナー部構造に関する。
【先行技術文献】
【特許文献】
【０００３】
【特許文献１】特開２００６−１６９８８２号公報
【発明の概要】
【発明が解決しようとする課題】
【０００４】
ところが、建物のコーナー部を施工するに際し、特許文献１に記載のコーナー用外装材のように、タイルを貼り付ける下地となる平面視略Ｌ字型の外装材本体を用いる場合のコストは、平板状を呈する一方および他方の外装材本体同士を接合して建物のコーナー部を施工する場合に比して、平面視略Ｌ字型の外装材本体を用いる分、コストが高くなるという問題がある。
そこで、このような平面視略Ｌ字型の外装材本体を用いずに、平板状を呈する一方の外装材本体のコーナー側端部と、平板状を呈する他方の外装材本体のコーナー側端部とを接合して建物のコーナー部を形成したいという要望がある。
しかしながら、例えば、一方の外装材本体のコーナー側端部と、他方の外装材本体のコーナー側端部とを接合してコーナー部を形成する場合、一方の外装材本体の表面に貼り付けられるタイルのコーナー側端部と、他方の外装材本体の表面に貼り付けられるタイルのコーナー側端部との間隔が、一方または他方の外装材本体の厚み分、空いてしまうことになり、外観上、好ましくない。
このため、このように一方の外装材本体のコーナー側端部と、他方の外装材本体のコーナー側端部とを接合してコーナー部を形成する際に、コーナー部の外観性を向上できる技術の開発が望まれていた。
【０００５】
本発明の課題は、外観性を向上できるとともに、コストを低減させることが可能な建物のコーナー部構造を提供することを目的とする。
【課題を解決するための手段】
【０００６】
請求項１に記載の発明は、例えば図１〜図７に示すように、平板状を呈する一方の外装材本体２のコーナー側端部２ａと、平板状を呈する他方の外装材本体３のコーナー側端部３ａとを接合してなる建物のコーナー部構造において、
前記一方および他方の外装材本体２，３の表面に複数のタイル４…，５…が貼り付けられており、
これら複数のタイル４…，５…のうち、長寸部４ａと短寸部４ｂとを有することによって平面視略Ｌ字型に形成されるコーナー用タイル４が、前記一方の外装材本体２に対して、前記長寸部４ａを該外装材本体２の表面に当接させるとともに、前記短寸部４ｂを該外装材本体２のコーナー側端面２ｂに当接させるようにして貼り付けられ、さらに、前記他方の外装材本体３に対して、前記長寸部４ａを該外装材本体３の表面に当接させるとともに、前記短寸部４ｂを該外装材本体３のコーナー側端面３ｂから所定間隔離間させるようにして貼り付けられており、
これら一方の外装材本体２に貼り付けられるコーナー用タイル４と、他方の外装材本体３に貼り付けられるコーナー用タイル４とは、これら一方の外装材本体２と他方の外装材本体３との接合部分の高さ方向に沿って交互に並列するようにして配置されており、
前記一方の外装材本体２と他方の外装材本体３とは、前記一方の外装材本体２のコーナー側端部２ａを、前記他方の外装材本体３のコーナー側端面３ｂと前記コーナー用タイル４の短寸部４ｂとの間に差し込むようにして接合されていることを特徴とする。
【０００７】
請求項１に記載の発明によれば、前記一方の外装材本体２に貼り付けられるコーナー用タイル４と、他方の外装材本体３に貼り付けられるコーナー用タイル４とは、これら一方の外装材本体２と他方の外装材本体３との接合部分の高さ方向に沿って交互に並列するようにして配置されており、前記一方の外装材本体２と他方の外装材本体３とは、前記一方の外装材本体２のコーナー側端部２ａを、前記他方の外装材本体３のコーナー側端面３ｂと前記コーナー用タイル４の短寸部４ｂとの間に差し込むようにして接合されているので、例えば平面視略Ｌ字型のコーナー用外装材本体を用いずとも、コーナー部１を確実に形成することができる。これによって、例えば平面視略Ｌ字型のコーナー用外装材本体を用いてコーナー部を形成する場合に比して、コストを低減させることができる。
また、コーナー用タイル４が、前記一方の外装材本体２に対して、前記長寸部４ａを該外装材本体２の表面に当接させるとともに、前記短寸部４ｂを該外装材本体２のコーナー側端面２ｂに当接させるようにして貼り付けられ、さらに、前記他方の外装材本体３に対して、前記長寸部４ａを該外装材本体３の表面に当接させるとともに、前記短寸部４ｂを該外装材本体３のコーナー側端面３ｂから所定間隔離間させるようにして貼り付けられているので、前記一方の外装材本体２のコーナー側端部２ａを、前記他方の外装材本体３のコーナー側端面３ｂと前記コーナー用タイル４の短寸部４ｂとの間に差し込んだ際に、前記一方の外装材本体２の表面に貼り付けられる複数のタイル４…，５…と、他方の外装材本体３の表面に貼り付けられる複数のタイル４…，５…とが、コーナー部１を介して連続しているように見せることができる。
これによって、前記一方の外装材本体２のコーナー側端部２ａと、前記他方の外装材本体３のコーナー側端部３ａとを接合してコーナー部１を形成する際に、コーナー部１の外観性を向上させることができる。
【０００８】
請求項２に記載の発明は、例えば図２〜図７に示すように、請求項１に記載の建物のコーナー部構造において、
前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されていることを特徴とする。
【０００９】
請求項２に記載の発明によれば、前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されているので、前記一方の外装材本体２のコーナー側端部２ａを、前記他方の外装材本体３のコーナー側端面３ｂと前記コーナー用タイル４の短寸部４ｂとの間に、確実に差し込むことができる。
すなわち、前記他方の外装材本体３のコーナー側端面３ｂと前記コーナー用タイル４の短寸部４ｂとの間の寸法と、前記一方の外装材本体２のコーナー側端部２ａの厚さ寸法とが等しくなるように設定されることによって、前記一方の外装材本体２のコーナー側端部２ａを、前記他方の外装材本体３のコーナー側端面３ｂと前記コーナー用タイル４の短寸部４ｂとの間に確実に差し込むことができる。さらに、前記他方の外装材本体３のコーナー側端面３ｂと前記コーナー用タイル４の短寸部４ｂとの間の寸法が、前記一方の外装材本体２のコーナー側端部２ａの厚さ寸法を超過するように設定されることによっても、前記一方の外装材本体２のコーナー側端部２ａを、前記他方の外装材本体３のコーナー側端面３ｂと前記コーナー用タイル４の短寸部４ｂとの間に確実に差し込むことができ、かつ差し込みやすくなる。
また、前記他方の外装材本体３のコーナー側端面３ｂと前記コーナー用タイル４の短寸部４ｂとの間の寸法が、前記一方の外装材本体２のコーナー側端部２ａの厚さ寸法を超過するように設定されていれば、前記一方の外装材本体２のコーナー側端部２ａと、前記他方の外装材本体３のコーナー側端面３ｂとの間や、前記コーナー用タイル４の短寸部４ｂとの間に隙間を形成できるので、前記一方の外装材本体２のコーナー側端部２ａの差し込み時に、コーナー用タイル４の前記他方の外装材本体３のコーナー側端面３ｂよりも突出する部分が割れてしまうことを防ぐことができる。
【００１０】
請求項３に記載の発明は、例えば図２および図３に示すように、請求項２に記載の建物のコーナー部構造において、
前記他方の外装材本体３のコーナー側端面３ｂは、この他方の外装材本体３ｂの正面および背面に対して所定の角度に傾いており、
この他方の外装材本体３のコーナー側端面３ｂと前記コーナー用タイル４の短寸部４ｂとの間の寸法が、前記他方の外装材本体３の正面側から背面側に向かうにつれて徐々に広くなるように設定されていることを特徴とする。
【００１１】
請求項３に記載の発明によれば、前記他方の外装材本体３のコーナー側端面３ｂと前記コーナー用タイル４の短寸部４ｂとの間の寸法が、前記他方の外装材本体３の正面側から背面側に向かうにつれて徐々に広くなるように設定されているので、前記一方の外装材本体２のコーナー側端部２ａを、前記他方の外装材本体３のコーナー側端面３ｂと前記コーナー用タイル４の短寸部４ｂとの間に差し込む際には、前記一方の外装材本体２のコーナー側端部２ａを、徐々に狭くなる前記他方の外装材本体３のコーナー側端面３ｂと前記コーナー用タイル４の短寸部４ｂとの間の隙間に沿ってガイドしながら差し込むことができる。
これによって、前記一方の外装材本体２のコーナー側端部２ａを、前記他方の外装材本体３のコーナー側端面３ｂと前記コーナー用タイル４の短寸部４ｂとの間に、より確実かつ差し込みやすくすることが可能となる。
【００１２】
請求項４に記載の発明は、例えば図２〜図７に示すように、請求項２または３に記載の建物のコーナー部構造において、
前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段６，７，８が設けられていることを特徴とする。
【００１３】
請求項４に記載の発明によれば、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段６，７，８が設けられているので、防水性を向上させることができ、前記一方の外装材本体２と他方の外装材本体３との間からの雨水等の浸入を確実に防ぐことができる。
【００１４】
請求項５に記載の発明は、例えば図６および図７に示すように、請求項２〜４のいずれか一項に記載の建物のコーナー部構造において、
前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に、これら一方の外装材本体２のコーナー側端部２ａと他方の外装材本体３のコーナー側端面３ｂとを係合させるための係合手段９，１０が設けられていることを特徴とする。
【００１５】
請求項５に記載の発明によれば、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に、これら一方の外装材本体２のコーナー側端部２ａと他方の外装材本体３のコーナー側端面３ｂとを係合させるための係合手段９，１０が設けられているので、この係合手段９，１０によって、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとを係合させることができ、前記一方の外装材本体２と他方の外装材本体３とを確実かつ強固に接合することができる。
これによって、例えば、前記一方および他方の外装材本体２，３が、経年変化等によって万が一、前記一方および他方の外装材本体２，３が収縮しようとしても、前記一方の外装材２と他方の外装材本体３との接合部分に隙間が生じにくくなるので、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間の防水性の低下を抑制することができる。
【００１６】
請求項６に記載の発明は、例えば図１〜図７に示すように、請求項１〜５のいずれか一項に記載の建物のコーナー部構造において、
前記一方および他方の外装材本体２，３の表面に貼り付けられる複数のタイル４…，５…は、上下に隣り合うタイル４，５間の横目地１１が、前記外装材本体２，３の高さ方向に、略等しい間隔となるように配置されるとともに、左右に隣り合うタイル４，５間の縦目地１２が前記外装材本体２，３の高さ方向に沿って不連続となるように配置されており、
前記一方の外装材本体２の表面に貼り付けられる複数のタイル４…，５…のうち、前記コーナー用タイル４…を除くコーナー側端部２ａ近傍に位置するタイル５…は、コーナー側端部２ａから、前記他方の外装材本体３に貼り付けられるコーナー用タイル４の短寸部４ｂの長さよりも長い間隔をあけるようにして配置されていることを特徴とする。
【００１７】
請求項６に記載の発明によれば、前記一方および他方の外装材本体２，３の表面に貼り付けられる複数のタイル４…，５…は、上下に隣り合うタイル４，５間の横目地１１が、前記外装材本体２，３の高さ方向に、略等しい間隔となるように配置されるとともに、左右に隣り合うタイル４，５間の縦目地１２が前記外装材本体２，３の高さ方向に沿って不連続となるように配置されているので、前記一方の外装材本体２に貼り付けられるコーナー用タイル４と、前記他方の外装材本体３に貼り付けられるコーナー用タイル４とを、確実に、これら一方の外装材本体２と他方の外装材本体３との接合部分の高さ方向に沿って交互に並列するようにして配置することができる。
また、前記一方の外装材本体２の表面に貼り付けられる複数のタイル４…，５…のうち、前記コーナー用タイル４…を除くコーナー側端部２ａ近傍に位置するタイル５…は、コーナー側端部２ａから、前記他方の外装材本体３に貼り付けられるコーナー用タイル４の短寸部４ｂの長さよりも長い間隔をあけるようにして配置されているので、前記一方の外装材本体２と前記他方の外装材本体３とを、前記他方の外装材本体３のコーナー用タイル４の短寸部４ｂが、前記一方の外装材本体２のコーナー側端部２ａ近傍に位置するタイル５…に接触しないように確実に接合させることができる。
【発明の効果】
【００１８】
本発明によれば、一方の外装材本体に貼り付けられるコーナー用タイルと、他方の外装材本体に貼り付けられるコーナー用タイルとは、これら一方の外装材本体と他方の外装材本体との接合部分の高さ方向に沿って交互に並列するようにして配置されており、一方の外装材本体と他方の外装材本体とは、一方の外装材本体のコーナー側端部を、他方の外装材本体のコーナー側端面とコーナー用タイルの短寸部との間に差し込むようにして接合されているので、例えば平面視略Ｌ字型のコーナー用外装材本体を用いずとも、コーナー部を確実に形成することができる。これによって、例えば平面視略Ｌ字型のコーナー用外装材本体を用いてコーナー部を形成する場合に比して、コストを低減させることができる。
また、コーナー用タイルが、一方の外装材本体に対して、長寸部を該外装材本体の表面に当接させるとともに、短寸部を該外装材本体のコーナー側端面に当接させるようにして貼り付けられ、さらに、他方の外装材本体に対して、長寸部を該外装材本体の表面に当接させるとともに、短寸部を該外装材本体のコーナー側端面から所定間隔離間させるようにして貼り付けられているので、一方の外装材本体のコーナー側端部を、他方の外装材本体のコーナー側端面とコーナー用タイルの短寸部との間に差し込んだ際に、一方の外装材本体の表面に貼り付けられる複数のタイルと、他方の外装材本体の表面に貼り付けられる複数のタイルとが、コーナー部を介して連続しているように見せることができる。
これによって、一方の外装材本体のコーナー側端部と、他方の外装材本体のコーナー側端部とを接合してコーナー部を形成する際に、コーナー部の外観性を向上させることができる。
【図面の簡単な説明】
【００１９】
【図１】本発明の建物のコーナー部構造を示しており、（ａ）は一方の外装材本体を正面視した状態であり、（ｂ）は他方の外装材本体を正面視した状態である。
【図２】本発明の建物のコーナー部構造の第１の実施の形態を示す斜視図である。
【図３】同、平面図である。
【図４】本発明の建物のコーナー部構造の第２の実施の形態を示す斜視図である。
【図５】同、平面図であり、（ａ）は一方の外装材本体のコーナー側端部の差し込み前の状態を示しており、（ｂ）は差し込み後の状態を示している。
【図６】本発明の建物のコーナー部構造の第３の実施の形態を示す斜視図である。
【図７】同、平面図であり、（ａ）は一方の外装材本体のコーナー側端部の差し込み前の状態を示しており、（ｂ）は差し込み後の状態を示している。
【発明を実施するための形態】
【００２０】
以下、図面を参照して本発明の実施の形態について説明する。
【００２１】
（第１の実施の形態）
図１において符号１は、コーナー部を示す。このコーナー部１は、平板状を呈する一方の外装材本体２のコーナー側端部２ａと、平板状を呈する他方の外装材本体３のコーナー側端部３ａとを接合することによって形成される。
なお、図示はしないが、これら一方および他方の外装材本体２，３は、例えば、コーナー部１に立設される断面四角形状の柱や、一方の壁パネルと他方の壁パネルとを接合することによって所定角度のコーナー部分を備える外壁等のコーナー下地に取り付けられている。
【００２２】
また、前記一方および他方の外装材本体２，３としては、例えば軽量気泡コンクリートやケイ酸カルシウム板等の無機材料系のものが用いられており、所定の厚さ寸法に設定された矩形状のものである。
このような一方および他方の外装材本体２，３を、コーナー下地に固定する際は、例えば釘等の止着材によって固定してもよいし、専用の固定金具を用いて固定してもよい。
また、これら一方の外装材本体２と他方の外装材本体３とは、例えば、一方の外装材本体２のコーナー側端部２ａの正面側から、他方の外装材本体３のコーナー側端面３ｂに向かって釘打ち等を行うことによって接合固定されている。
【００２３】
また、これら一方および他方の外装材本体２，３の表面には、複数のタイル４…，５…が貼り付けられている。
これら複数のタイル４…，５…は、上下に隣り合うタイル４，５間の横目地１１が、前記外装材本体２，３の高さ方向に、略等しい間隔となるように配置されるとともに、左右に隣り合うタイル４，５間の縦目地１２が前記外装材本体２，３の高さ方向に沿って不連続となるように配置されている。
【００２４】
前記複数のタイル４…，５…としては、前記一方および他方の外装材本体２，３のコーナー側端部２ａ，３ａに設けられるコーナー用タイル４と、前記一方および他方の外装材本体２，３のうち、前記コーナー用タイル４が設けられない部分に設けられるタイル５とが挙げられる。
【００２５】
前記コーナ用タイル４は、長寸部４ａと短寸部４ｂとを有することによって、平面視略Ｌ字型に形成されている。
また、前記タイル５は、矩形板状に形成されている。
また、これらコーナー用タイル４の長寸部４ａおよび短寸部４ｂの厚さ寸法と、前記タイル５の厚さ寸法とは略等しくなるように設定されている。さらに、これらコーナー用タイル４の長寸部４ａおよび短寸部４ｂの高さ寸法と、前記タイル５の高さ寸法とは略等しくなるように設定されている。
【００２６】
また、前記コーナー用タイル４は、前記一方の外装材本体２に対して、前記長寸部４ａを該外装材本体２の表面に当接させるとともに、前記短寸部４ｂを該外装材本体２のコーナー側端面２ｂに当接させるようにして貼り付けられている。
さらに、前記コーナー用タイル４は、前記他方の外装材本体３に対して、前記長寸部４ａを該外装材本体３の表面に当接させるとともに、前記短寸部４ｂを該外装材本体３のコーナー側端面３ｂから所定間隔離間させるようにして貼り付けられている。
【００２７】
また、前記一方の外装材本体２に貼り付けられるコーナー用タイル４と、前記他方の外装材本体３に貼り付けられるコーナー用タイル４とは、これら一方の外装材本体２と他方の外装材本体３との接合部分の高さ方向に沿って交互に並列するようにして配置されている。
【００２８】
そして、前記一方の外装材本体２と他方の外装材本体３とは、前記一方の外装材本体２のコーナー側端部２ａを、前記他方の外装材本体３のコーナー側端面３ｂと前記コーナー用タイル４の短寸部４ｂとの間に差し込むようにして接合されている。
【００２９】
なお、前記一方の外装材本体２の表面に貼り付けられる複数のタイル４…，５…のうち、前記コーナー用タイル４…を除くコーナー側端部２ａ近傍に位置するタイル５…は、コーナー側端部２ａから、前記他方の外装材本体３に貼り付けられるコーナー用タイル４の短寸部４ｂの長さよりも長い間隔をあけるようにして配置されている。
また、前記一方および他方の外装材本体２，３にそれぞれ貼り付けられるコーナー用タイル４の短寸部４ｂの寸法は、この短寸部４ｂの突出方向側端面と、前記一方および他方の外装材本体２，３の背面とが面一となる位置までの長さに設定されている。したがって、本実施の形態において、前記コーナー用タイル４…を除くコーナー側端部２ａ近傍に位置するタイル５…は、コーナー側端部２ａから、少なくとも前記他方の外装材本体３の厚さ寸法分よりも大きな間隔をあけて配置されている。
なお、これに限られず、前記短寸部４ｂの寸法は、さらに長尺に設定してもよいものとする。前記コーナー用タイル４…を除くコーナー側端部２ａ近傍に位置するタイル５…のコーナー側端部２ａからの配置間隔は、前記短寸部４ｂの寸法によって適宜変更する。
【００３０】
また、前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されている。
より詳細には、図２および図３に示すように、前記他方の外装材本体３のコーナー側端面３ｂは、この他方の外装材本体３ｂの正面および背面に対して所定の角度に傾いており、この他方の外装材本体３のコーナー側端面３ｂと前記コーナー用タイル４の短寸部４ｂとの間の寸法が、前記他方の外装材本体３の正面側から背面側に向かうにつれて徐々に広くなるように設定されている。
【００３１】
すなわち、前記他方の外装材本体３の正面側のコーナー側縁部から、この他方の外装材本体３の表面に貼り付けられたコーナー用タイル４の短寸部４ｂまでの寸法が、前記一方の外装材本体２のコーナー側端面２ｂの短手方向の長さ（すなわち、外装材本体２の厚さ寸法）と略等しくなるように形成されている。
また、前記他方の外装材本体３の背面側のコーナー側縁部から、この他方の外装材本体３の表面に貼り付けられたコーナー用タイル４の短寸部４ｂまでの寸法は、前記一方の外装材本体２のコーナー側端面２ｂの短手方向の長さ（すなわち、外装材本体２の厚さ寸法）よりも長くなるように形成されている。
【００３２】
したがって、前記一方の外装材本体２のコーナー側端部２ａを、前記他方の外装材本体３のコーナー側端面３ｂと前記コーナー用タイル４の短寸部４ｂとの間に差し込む際には、前記一方の外装材本体２のコーナー側端部２ａを、徐々に狭くなる前記他方の外装材本体３のコーナー側端面３ｂと前記コーナー用タイル４の短寸部４ｂとの間の隙間に沿ってガイドしながら差し込むことができる。
そして、前記一方の外装材本体２のコーナー側端面２ｂが前記他方の外装材本体３に貼り付けられたコーナー用タイル４に当接する位置まで差し込まれた際に、これら一方の外装材本体２のコーナー側端面２ｂと、この一方の外装材本体２のコーナー側端面２ｂが前記他方の外装材本体３に貼り付けられたコーナー用タイル４に当接する部分とが、ぴったりと当接し合うことになるので、前記一方の外装材本体２と前記他方の外装材本体３との接合状態を向上させることができる。
【００３３】
また、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間には防水手段６が設けられている。
この防水手段６は、本実施の形態ではコーキング剤が用いられている。
すなわち、前記一方の外装材本体２のコーナー側端面２ｂを前記他方の外装材本体３に貼り付けられたコーナー用タイル４に当接する位置まで差し込んだ際には、図３に示すように、差し込まれた一方の外装材本体２のコーナー側端部２ａと前記他方の外装材本体３のコーナー側端面３ｂとの間には隙間Ｓ１が形成されることになる。この隙間Ｓ１に前記コーキング剤６が充填されている。
【００３４】
本実施の形態によれば、前記一方の外装材本体２に貼り付けられるコーナー用タイル４と、他方の外装材本体３に貼り付けられるコーナー用タイル４とは、これら一方の外装材本体２と他方の外装材本体３との接合部分の高さ方向に沿って交互に並列するようにして配置されており、前記一方の外装材本体２と他方の外装材本体３とは、前記一方の外装材本体２のコーナー側端部２ａを、前記他方の外装材本体３のコーナー側端面３ｂと前記コーナー用タイル４の短寸部４ｂとの間に差し込むようにして接合されているので、例えば平面視略Ｌ字型のコーナー用外装材本体を用いずとも、コーナー部１を確実に形成することができる。
これによって、例えば平面視略Ｌ字型のコーナー用外装材本体を用いてコーナー部を形成する場合に比して、コストを低減させることができる。
【００３５】
また、コーナー用タイル４が、前記一方の外装材本体２に対して、前記長寸部４ａを該外装材本体２の表面に当接させるとともに、前記短寸部４ｂを該外装材本体２のコーナー側端面２ｂに当接させるようにして貼り付けられ、さらに、前記他方の外装材本体３に対して、前記長寸部４ａを該外装材本体３の表面に当接させるとともに、前記短寸部４ｂを該外装材本体３のコーナー側端面３ｂから所定間隔離間させるようにして貼り付けられているので、前記一方の外装材本体２のコーナー側端部２ａを、前記他方の外装材本体３のコーナー側端面３ｂと前記コーナー用タイル４の短寸部４ｂとの間に差し込んだ際に、前記一方の外装材本体２の表面に貼り付けられる複数のタイル４…，５…と、他方の外装材本体３の表面に貼り付けられる複数のタイル４…，５…とが、コーナー部１を介して連続しているように見せることができる。
これによって、前記一方の外装材本体２のコーナー側端部２ａと、前記他方の外装材本体３のコーナー側端部３ａとを接合してコーナー部１を形成する際に、コーナー部１の外観性を向上させることができる。
【００３６】
また、前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されているので、前記一方の外装材本体２のコーナー側端部２ａを、前記他方の外装材本体３のコーナー側端面３ｂと前記コーナー用タイル４の短寸部４ｂとの間に、確実に差し込むことができる。
【００３７】
すなわち、前記他方の外装材本体３のコーナー側端面３ｂと前記コーナー用タイル４の短寸部４ｂとの間の寸法と、前記一方の外装材本体２のコーナー側端部２ａの厚さ寸法とが等しくなるように設定されることによって、前記一方の外装材本体２のコーナー側端部２ａを、前記他方の外装材本体３のコーナー側端面３ｂと前記コーナー用タイル４の短寸部４ｂとの間に確実に差し込むことができる。
さらに、前記他方の外装材本体３のコーナー側端面３ｂと前記コーナー用タイル４の短寸部４ｂとの間の寸法が、前記一方の外装材本体２のコーナー側端部２ａの厚さ寸法を超過するように設定されることによっても、前記一方の外装材本体２のコーナー側端部２ａを、前記他方の外装材本体３のコーナー側端面３ｂと前記コーナー用タイル４の短寸部４ｂとの間に確実に差し込むことができ、かつ差し込みやすくなる。
【００３８】
また、前記他方の外装材本体３のコーナー側端面３ｂと前記コーナー用タイル４の短寸部４ｂとの間の寸法が、前記一方の外装材本体２のコーナー側端部２ａの厚さ寸法を超過するように設定されていれば、前記一方の外装材本体２のコーナー側端部２ａと、前記他方の外装材本体３のコーナー側端面３ｂとの間や、前記コーナー用タイル４の短寸部４ｂとの間に隙間を形成できるので、前記一方の外装材本体２のコーナー側端部２ａの差し込み時に、コーナー用タイル４の前記他方の外装材本体３のコーナー側端面３ｂよりも突出する部分が割れてしまうことを防ぐことができる。
【００３９】
また、前記他方の外装材本体３のコーナー側端面３ｂと前記コーナー用タイル４の短寸部４ｂとの間の寸法が、前記他方の外装材本体３の正面側から背面側に向かうにつれて徐々に広くなるように設定されているので、前記一方の外装材本体２のコーナー側端部２ａを、前記他方の外装材本体３のコーナー側端面３ｂと前記コーナー用タイル４の短寸部４ｂとの間に差し込む際には、前記一方の外装材本体２のコーナー側端部２ａを、徐々に狭くなる前記他方の外装材本体３のコーナー側端面３ｂと前記コーナー用タイル４の短寸部４ｂとの間の隙間に沿ってガイドしながら差し込むことができる。
これによって、前記一方の外装材本体２のコーナー側端部２ａを、前記他方の外装材本体３のコーナー側端面３ｂと前記コーナー用タイル４の短寸部４ｂとの間に、より確実かつ差し込みやすくすることが可能となる。
【００４０】
また、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段６が設けられているので、防水性を向上させることができ、前記一方の外装材本体２と他方の外装材本体３との間からの雨水等の浸入を確実に防ぐことができる。
【００４１】
また、前記一方および他方の外装材本体２，３の表面に貼り付けられる複数のタイル４…，５…は、上下に隣り合うタイル４，５間の横目地１１が、前記外装材本体２，３の高さ方向に、略等しい間隔となるように配置されるとともに、左右に隣り合うタイル４，５間の縦目地１２が前記外装材本体２，３の高さ方向に沿って不連続となるように配置されているので、前記一方の外装材本体２に貼り付けられるコーナー用タイル４と、前記他方の外装材本体３に貼り付けられるコーナー用タイル４とを、確実に、これら一方の外装材本体２と他方の外装材本体３との接合部分の高さ方向に沿って交互に並列するようにして配置することができる。
【００４２】
また、前記一方の外装材本体２の表面に貼り付けられる複数のタイル４…，５…のうち、前記コーナー用タイル４…を除くコーナー側端部２ａ近傍に位置するタイル５…は、コーナー側端部２ａから、前記他方の外装材本体３に貼り付けられるコーナー用タイル４の短寸部４ｂの長さよりも長い間隔をあけるようにして配置されているので、前記一方の外装材本体２と前記他方の外装材本体３とを、前記他方の外装材本体３のコーナー用タイル４の短寸部４ｂが、前記一方の外装材本体２のコーナー側端部２ａ近傍に位置するタイル５…に接触しないように確実に接合させることができる。
【００４３】
（第２の実施の形態）
次に、図面を参照して本発明の第２の実施の形態について説明する。なお、説明の便宜上、上述した第１の実施の形態とは異なる構成部分のみについて説明する。
【００４４】
本実施の形態の建物のコーナ部構造は、図４および図５に示すように、前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されており、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段７が設けられている。
【００４５】
ここで、前記他方の外装材本体３のコーナー側端面３ｂと前記コーナー用タイル４の短寸部４ｂとの間に差し込まれた一方の外装材本体２のコーナー側端部２ａと、前記他方の外装材本体３のコーナー側端面３ｂとの間には隙間Ｓ２が形成されている。
そして、この隙間Ｓ２に、前記防水手段７が設けられている。また、この防水手段７としては、図５（ａ）に示すような防水目地材が用いられている。
【００４６】
この防水目地材７は、弾力性を備えるとともに平面視において略平行四辺形状に、かつコーナー部１の高さ方向に沿って長尺に形成されており、一側面が前記他方の外装材本体３のコーナー側端面３ｂに固定されている。また、他側面は、前記隙間Ｓ２の奥行き方向に沿って凹凸状に形成されている。
また、この防水目地材７は上述のように平行四辺形状に形成されているため、この防水目地材７の他側面は、前記一側面の固定位置よりも横方向に位置している。すなわち、この防水目地材７の他側面は、前記他方の外装材本体３の背面側に突出するようにして設けられている。
また、この防水目地材７の厚さ寸法Ｌは、前記隙間Ｓ２の幅寸法ｌよりも大きくなるように設定されている。すなわち、この防水目地材７は上述のように弾力性を備えているので、前記一方の外装材本体２のコーナー側端部２ａを、前記他方の外装材本体３のコーナー側端面３ｂと短寸部４ｂとの間に差し込む際に、前記防水目地材７は撓んで平行四辺形の状態から変形し、さらに、この防水目地材７の他側面の凹凸も差し込み方向に向かって靡くようにして撓むことになる。これによって、前記防水目地材７は、前記一方の外装材本体２のコーナー側端部２ａに密接することになる。
【００４７】
なお、この防水目地材７は、例えばゴム等の樹脂を押出成形によって成形したものが用いられているが、これに限られるものではなく、弾力性を備え、本発明の趣旨を逸脱しない範囲で適宜変更可能であることは言うまでもない。
また、前記一方の外装材本体２と他方の外装材本体３とは、例えば、一方の外装材本体２のコーナー側端部２ａの正面側から、他方の外装材本体３のコーナー側端面３ｂに向かって釘打ち等を行うことによって接合固定されているものとする。
【００４８】
本実施の形態によれば、第１の実施の形態と同じ効果を得ることができるとともに、前記隙間Ｓ２を構成することで、前記一方の外装材本体２のコーナー側端部２ａを、前記他方の外装材本体３のコーナー側端面３ｂと前記コーナー用タイル４の短寸部４ｂとの間に確実に差し込むことができ、かつ差し込みやすくなる。
また、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段７が設けられているので、防水性を向上させることができ、前記一方の外装材本体２と他方の外装材本体３との間からの雨水等の浸入を確実に防ぐことができる。
【００４９】
（第３の実施の形態）
次に、図面を参照して本発明の第３の実施の形態について説明する。なお、説明の便宜上、上述した第１および第２の実施の形態とは異なる構成部分のみについて説明する。
【００５０】
本実施の形態の建物のコーナー部構造は、図６および図７に示すように、前記他方の外装材本体３のコーナー側端面３ｂと前記コーナー用タイル４の短寸部４ｂとの間の寸法は、前記一方の外装材本体２のコーナー側端部２ａの厚さ寸法以上となるように設定されており、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段８が設けられている。
さらに、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に、これら一方の外装材本体２のコーナー側端部２ａと他方の外装材本体３のコーナー側端面３ｂとを係合させるための係合手段９，１０が設けられている。
【００５１】
ここで、前記他方の外装材本体３のコーナー側端面３ｂと前記コーナー用タイル４の短寸部４ｂとの間に差し込まれた一方の外装材本体２のコーナー側端部２ａと、前記他方の外装材本体３のコーナー側端面３ｂとの間には隙間Ｓ３が形成されている。
そして、この隙間Ｓ３に、前記防水手段８である防水材と、前記係合手段１０である被係合金物が設けられている。
【００５２】
すなわち、前記防水材８は、コーナー部１の高さ方向に沿って長尺に形成されており、一側面が前記他方の外装材本体３のコーナー側端面３ｂに固定されている。なお、この防水材材８はコーキング剤等の湿式材料でもよいし、ゴム等の乾式材料でもよい。本実施の形態においては、ゴム等の樹脂を押出成形によって成形したものが用いられている。
また、前記被係合金物１０は、図７に示すように平面視において略コ字型に形成されている。さらに、この被係合金物１０の厚さ寸法は、前記隙間Ｓ３の幅寸法よりも薄くなるように形成されている。また、この被係合金物１０は、コーナー部１の高さ方向に沿って所定の間隔をあけて点在するようにして配置されている。
【００５３】
また、前記一方の外装材本体２のコーナー側端部２ａの背面側には、前記被係合金物１０に係合する係合手段である係合金物９が取り付けられている。また、この係合金物９は、前記コーナー側端部２ａの背面側に、前記コーナー側端面２ｂから前記防水材８の分のスペースを空けて取り付けられている。
また、この係合金物９は、図７に示すように平面視において略逆コ字型に形成されており、前記被係合金物１０と略等しい厚さ寸法に設定されている。
【００５４】
そして、前記係合金物９は図７に示すように平面視において略逆コ字型とされ、前記被係合金物１０は図７に示すように平面視において略コ字型とされているので、これら係合金物９と被係合金物１０とは、互いにかみ合うように構成されていることになる。
したがって、前記一方の外装材本体２のコーナー側端部２ａを、前記他方の外装材本体３のコーナー側端面３ｂと短寸部４ｂとの間に差し込む際に、これら係合金物９と被係合金物１０とがかみ合うことになる。これによって、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとを係合させることができる。
なお、図７（ｂ）に示すように、これら係合金物９と被係合金物１０とを互いにかみ合わせた状態の厚さ寸法が、前記隙間Ｓ３の幅寸法と略等しくなるように設定されている。
【００５５】
また、前記一方の外装材本体２と他方の外装材本体３とは、前記係合手段９，１０の係合によって接合されるとともに、一方の外装材本体２のコーナー側端部２ａの正面側から、他方の外装材本体３のコーナー側端面３ｂに向かって釘打ち等を行うことによって固定されていてもよいものとする。
【００５６】
本実施の形態によれば、第１および第２の実施の形態と同じ効果を得ることができるとともに、前記隙間Ｓ３を構成することで、前記一方の外装材本体２のコーナー側端部２ａを、前記他方の外装材本体３のコーナー側端面３ｂと前記コーナー用タイル４の短寸部４ｂとの間に確実に差し込むことができ、かつ差し込みやすくなる。
また、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に防水手段８が設けられているので、防水性を向上させることができ、前記一方の外装材本体２と他方の外装材本体３との間からの雨水等の浸入を確実に防ぐことができる。
【００５７】
さらに、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間に、これら一方の外装材本体２のコーナー側端部２ａと他方の外装材本体３のコーナー側端面３ｂとを係合させるための係合手段９，１０が設けられているので、この係合手段９，１０によって、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとを係合させることができ、前記一方の外装材本体２と他方の外装材本体３とを確実かつ強固に接合することができる。
これによって、例えば、前記一方および他方の外装材本体２，３が、経年変化等によって万が一、前記一方および他方の外装材本体２，３が収縮しようとしても、前記一方の外装材２と他方の外装材本体３との接合部分に隙間が生じにくくなるので、前記他方の外装材本体３のコーナー側端面３ｂと、この他方の外装材本体３のコーナー側端面３ｂと前記コーナー用タイル４の短寸部４ｂとの間に差し込まれる前記一方の外装材本体２のコーナー側端部２ａとの間の防水性の低下を抑制することができる。
【００５８】
なお、上述のように、第１〜第３の実施の形態においては、前記他方の外装材本体３のコーナー側端面３ｂと、この他方の外装材本体３のコーナー側端面３ｂと前記コーナー用タイル４の短寸部４ｂとの間に差し込まれる一方の外装材本体２のコーナー側端部２ａとの間に、前記隙間Ｓ１，Ｓ２，Ｓ３を形成する構成としたが、これに限られるものではなく、前記他方の外装材本体３のコーナー側端面３ｂと前記コーナー用タイル４の短寸部４ｂとの間の寸法を、前記一方の外装材本体２のコーナー側端部２ａの厚さ寸法と略等しくなるように設定して、前記一方の外装材本体２のコーナー側端部２ａを、前記他方の外装材本体３のコーナー側端面３ｂと前記コーナー用タイル４の短寸部４ｂとの間にぴったりと納める構成としてもよいものとする。
【符号の説明】
【００５９】
１  コーナー部
２  一方の外装材本体
２ａ  コーナー側端部
２ｂ  コーナー側端面
３  他方の外装材本体
３ａ  コーナー側端部
３ｂ  コーナー側端面
４  コーナー用タイル
４ａ  長寸部
４ｂ  短寸部
５  タイル
【図１】
2011038332.tif 000003
【図２】
2011038332.tif 000004
【図３】
2011038332.tif 000005
【図４】
2011038332.tif 000006
【図５】
2011038332.tif 000007
【図６】
2011038332.tif 000008
【図７】
2011038332.tif 000009